(57)【要約】  防潮堤（１）は平面形状において、海側に突出する膨出部（４）と、膨出部（４）の間に配置されて陸側に凹入する樋部（５）とを交互に配列して構成される。膨出部（４）の横断面の輪郭線は、海側に凸の円弧（ｂ）を描いて底部（ａ）から立ち上がり、円弧（ｂ）の頂点（ｃ）に達し、その後一旦下降し、さらに、陸側に凸の曲線（ｄ）を描いてオーバーハングする。樋部（５）の横断面の輪郭線は、海側に凸の曲線（ｇ）を描いて底部（ｆ）から立ち上がり、徐々に陸側に倒れて、その後、陸側に凸の曲線（ｈ）を描いてオーバーハングする。
2013031001.tif 000002
【特許請求の範囲】
【請求項１】
平面形状において、海側に突出する膨出部と、前記膨出部の間に配置されて陸側に凹入する樋部を交互に配列して構成されている防潮堤。
【請求項２】
前記膨出部の横断面の輪郭線は、海側に凸の円弧を描いて底部から立ち上がり、前記円弧の頂点に達し、その後一旦下降し、さらに、陸側に凸の曲線を描いてオーバーハングするとともに、
前記樋部の横断面の輪郭線は、海側に凸の曲線を描いて底部から立ち上がり、徐々に陸側に倒れて、その後、陸側に凸の曲線を描いてオーバーハングする、
ことを特徴とする請求項１に記載の防潮堤。
【請求項３】
前記膨出部の横断面におけるオーバーハング部の輪郭線の終端は、前記樋部の横断面の輪郭線の横断面におけるオーバーハング部の輪郭線の終端よりも海側にあって、
前記膨出部の横断面におけるオーバーハング部の輪郭線の終端の接線の仰角は、前記樋部の横断面の輪郭線の横断面におけるオーバーハング部の輪郭線の終端の接線の仰角よりも小さい
ことを特徴とする請求項２に記載の防潮堤。
【請求項４】
前記膨出部の横断面におけるオーバーハング部の輪郭線の終端の接線の仰角は約３０°であって、前記樋部の横断面におけるオーバーハング部の輪郭線の終端の接線の仰角は約６０°である
ことを特徴とする請求項３に記載の防潮堤。
【請求項５】
表面に多数のディンプルが形成されている
ことを特徴とする請求項１に記載の防潮堤。
【発明の詳細な説明】
【技術分野】
【０００１】
本発明は、海岸に設置される防潮堤、特に津波の被害を防ぐ防潮堤に関するものである。
【背景技術】
【０００２】
２０１１年３月１１日に発生した東北地方大洋沖地震による津波は、膨大な人命を奪い、財産を破壊した。かかる巨大な津波による被害を効果的に防ぐ防潮堤が、今、強く求められている。【０００３】
伝統的な防潮堤は、簡単に言えば、津波を押し返す壁であって、防潮堤に押し返されても、津波の持つエネルギーは減少しない。当該防潮堤に押し返された津波は、続いて侵入してくる第二波、第三波と重畳して、さらにエネルギーを増して、再び当該防潮堤に戻って来る。【０００４】
防潮堤は、津波の衝突による衝撃に耐えられる強度を備える必要がある。しかしながら、構造や寸法の変更による強度の向上には限界がある。【０００５】
そこで、津波のエネルギーを防潮堤で減衰させる防潮堤が提案されている。例えば、特許文献１には、堤体の天端面のほぼ中央位置を切欠いて越流開口を設けて、該越流開口の底部に鋸歯状の粗度面を形成して、該越流開口を越流する津波のエネルギーを減衰させる津波防波堤が記載されている。また、特許文献２に記載された堤防は、堤体の頂面にエネルギー消散素子（突起物）を配列して、越堤する津波のエネルギーを減衰させて、被害を減少させることを意図している【０００６】
確かに、津波のエネルギーを減衰させれば、陸上の建物等が受ける衝撃を小さくできるので、被害は多少減少するかもしれない。しかしながら、越流した海水によって生じる浸水被害は解消されない。したがって、津波による被害を防ぐためには、やはり、防潮堤で海水を堰き止める必要がある。【０００７】
そこで、特許文献３には、横断面形において、海側から陸側に向かう上向きの勾配を有する斜面を備え、該斜面の勾配は陸側に向かうにしたがって、放物線を描いて大きくなり、さらには海側に向かって反転してオーバーハング部を形成した防護堤が開示されている。特許文献１によれば、このような形態を備えると、斜面に当たる海水の運動方向を徐々に上向きに変えるので、堤体が受ける衝撃を緩和することができ、斜面に当たった海水は空中で飛散して海面に戻る。つまり、海水の越堤を防ぐことができると主張している。
【先行技術文献】
【特許文献】
【０００８】
【特許文献１】特開平０７−１１３２１６号公報
【特許文献２】特公平６−６３２１０号公報
【特許文献３】特表２０１１−５００９９８号公報
【発明の概要】
【発明が解決しようとする課題】
【０００９】
特許文献３は、防護堤の断面形を陸側に凸に湾曲させることにより、防護堤に衝突する海水の運動方向を変更して、海水の越堤を防ぐことができると主張する。確かに、最初に衝突する海水については、その通りかも知れないが、津波のエネルギーは減衰しないので、海水面は防護堤の正面で盛り上がり、やがては越堤すると考えられる。【００１０】
本発明は、以上のような背景に鑑みて成されたものであり、津波のエネルギーを減衰させて、海水の越堤を防ぐことができる防潮堤を提供することを目的とする。
【課題を解決するための手段】
【００１１】
上記目的を達成するため、本発明の防潮堤は、平面形状において、海側に突出する膨出部と、前記膨出部の間に配置されて陸側に凹入する樋部を交互に配列して構成される。【００１２】
前記膨出部の横断面の輪郭線は、海側に凸の円弧を描いて底部から立ち上がり、前記円弧の頂点に達し、その後一旦下降し、さらに、陸側に凸の曲線を描いてオーバーハングするとともに、前記樋部の横断面の輪郭線は、海側に凸の曲線を描いて底部から立ち上がり、徐々に陸側に倒れて、その後、陸側に凸の曲線を描いてオーバーハングするようにしてもよい。【００１３】
前記膨出部の横断面におけるオーバーハング部の輪郭線の終端は、前記樋部の横断面の輪郭線の横断面におけるオーバーハング部の輪郭線の終端よりも海側にあって、前記膨出部の横断面におけるオーバーハング部の輪郭線の終端の接線の仰角は、前記樋部の横断面の輪郭線の横断面におけるオーバーハング部の輪郭線の終端の接線の仰角よりも小さくしてもよい。【００１４】
前記膨出部の横断面におけるオーバーハング部の輪郭線の終端の接線の仰角は約３０°であって、前記樋部の横断面におけるオーバーハング部の輪郭線の終端の接線の仰角は約６０°であるようにしてもよい。【００１５】
また、防潮堤の表面に多数のディンプルを形成するようにしてもよい。
【発明の効果】
【００１６】
本発明によれば、津波の搬送波の位相をずらし互いに干渉させて、津波のエネルギーを減衰することができる。また、津波の運動方向を海側に向かう方向に変えて、津波の越堤を防ぐことができる。そのため、津波による人命、財産の損失を小さくできる。
【図面の簡単な説明】
【００１７】
【図１】本発明の実施形態の一例を示す防潮堤の概念的な平面図である。
【図２】防潮堤の詳細な形態を示す平面図である。
【図３】防潮堤を図２のＡＡ’線で切断した断面図である。
【図４】防潮堤の作用を説明する平面図である。
【図５】防潮堤の作用を説明する平面図である。
【図６】防潮堤の表面に形成するディンプルの形状を示す図であり、（ａ）は平面図であり、（ｂ）は（ａ）のＢＢ’線で切断した断面図である。
【発明を実施するための形態】
【００１８】
以下、本発明を実施するための最良の形態を、図面を参照しながら説明する。
【００１９】
図１は、本発明の実施形態を示す防潮堤１の概念的な平面図である。図１から明らかなように、防潮堤１は、海岸線２から所定の距離を空けて設置され、海３側に突出する膨出部４を備える。膨出部４は防潮堤１の長さ方向に、所定の間隔を空けて、多数が配列される。また膨出部４とそれに隣接する膨出部４の間には樋部５があって、陸６側に凹入している。防潮堤１は、概略、前記のように構成されて、海３から陸６に接近する津波７を遮って、津波７の上陸を防ぎ、陸６に設置された建物８等を守る。
【００２０】
図２は、防潮堤１の一部分を切り出して、その詳細な形態を示す平面図である。膨出部４は、船舶の球状船首に似た立体形状、つまり、先端において半球（下半分を欠くので四半球と言うべきかもしれない）をなすので、膨出部４の先端部の輪郭は、平面図（図２）において、半円形をなす。樋部５は膨出部４とそれに隣接する膨出部４の間にあって、膨出部４よりも低い。つまり、防潮堤１には膨出部４と樋部５が交互に配置され、膨出部４を櫛の歯に例えるならば、樋部５は歯と歯の間の隙間に相当する。あるいは、膨出部４を稜線に例えるならば、樋部５は谷筋に相当する。
【００２１】
さて、図３は防潮堤１を図２のＡ−Ａ’線で切断した断面図である。ここでは、図が煩雑になるのを避けるために、海底９の上に出ている部分の形状だけを示しているが、海底９の中には基礎構造が埋設されて、防潮堤１を海底９に強固に固定していることは言うまでもない。図３に示すように、膨出部４の横断面の輪郭線は、底部ａから、海側に凸の円弧ｂを描いて立ち上がり、円弧ｂの頂点ｃに達し、その後一旦下降し、さらに、陸側に凸の曲線ｄを描いてオーバーハング部を形成し、終端ｅに達する。また、前記オーバーハング部の輪郭線の接線は終端ｅにおいて３０°の仰角を有している。一方、樋部５の横断面の輪郭線は、底部ｆから、海側に凸の曲線ｇを描いて立ち上がり、徐々に陸側に倒れて陸側に昇り、その後、陸側に凸の曲線ｈを描いてオーバーハング部を形成し、終端ｉに達する。また、前記オーバーハング部の輪郭線の接線は終端ｉにおいて６０°の仰角を有している。
【００２２】
なお、円弧ｂ、曲線ｄ及び曲線ｈの曲率半径は、いずれもｒであり、ｒは防潮堤１の設置場所で想定される津波の高さに等しい。
【００２３】
また、図では表現し難いが、防潮堤１の海３側の表面は滑らかで連続した曲面で構成される。膨出部４と樋部５の間も滑らかで連続した曲面で連絡され、段差や不連続は存在しない。もっとも、「滑らかで連続した曲面」とは設計上の目標であって、現実の表面には、工作上の誤差に起因する歪みや、材料の性質に起因する粗面が存在することは言うまでもない。実用上、滑らかで連続していると見なせる曲面を備えていれば、十分である。
【００２４】
さて、次に、防潮堤１の機能を説明する。海３から陸６に向かって進行する津波の第１波が防潮堤１に到達すると、海水の一部は膨出部４に衝突し、残りは樋部５に直接流入する。また、膨出部４に衝突した海水は、膨出部４の両側にある樋部５に流れ込む。膨出部４から樋部５に流れ込んだ海水は、樋部５に直接流入した海水と合流し、樋部５の輪郭線（図３参照）に沿って上昇する。つまり、海３から陸６へ水平に流れていた海水は、徐々に上に向かって流れ、さらにオーバーハング部（曲線ｈ）に達すると、陸６から海３に向かって斜め上に流れる。そして、終端ｉを過ぎると、空中高く放擲される。海水は渦を巻きながら空中に放擲されるので、空中で海水は飛沫となって発散する。飛沫は、やがて海面に落下するが、もはや、特定方向（例えば、陸６から海３へ向かう方向）の速度を持たないから、特定の方向に進行する波を引き起こすことはない。
【００２５】
なお、防潮堤１の寸法は、設置場所の条件に応じて決定される。例えば、その場所で想定される津波の高さをｒとする場合に、膨出部４の間隔は２ｒから４ｒの間で選ぶ。また、樋部５の幅はｒから２ｒの間で選ぶ（図２参照）。防潮堤１の海底からの高さは３ｒから４ｒの間で選ぶ（図３参照）
【００２６】
ところで、津波は、一般には、非常に波長の長い単一の水面波と捉えられているが、地震による海底の挙動によって生じた、多数の波（ここでは、電気通信の用語を借用して「搬送波」と呼ぶことにする）が重畳して生じる現象であると考えるのが適当である。また、「搬送波」は海底の挙動によって生じた水圧変動であり、伝播中に水深により影響を受けるから、「搬送波」の周期ＴＰは、次式で与えられる。ただし、ｈは水深であり、Ｃｗは海水中の音速（≒１５００ｍ／ｓ）である。
【００２７】
ＴＰ＝４ｈ／Ｃｗ      （式１）
【００２８】
また、津波の伝播速度Ｖは、次式で与えられる。ただし、ｈは水深（ｍ）であり、ｇは重力加速度（ｍ／ｓ２）である。
【００２９】
Ｖ＝√（ｇ＊ｈ）      （式２）
【００３０】
また、「搬送波」の波長λ（ｍ）は次式で与えられる。
【００３１】
λ＝Ｖ＊ＴＰ      （式３）
【００３２】
以上のようにして、「搬送波」の波長λを推定することができる。例えば、ｈ＝１００ｍの時、λ≒８ｍになる。
【００３３】
また、津波のエネルギーは、「搬送波」のエネルギーの総和であって、「搬送波」を減衰させれば、津波のエネルギーを減衰させることができる。
【００３４】
さて、図４に示すように、海３から樋部５に直接に到達する行程ｄ１と膨出部４を経由して樋部５に到達する行程ｄ２の差（ｄ２−ｄ１）が「搬送波」の波長λの１／２つまりλ／２になるように、防潮堤１の形状を選べば、行程ｄ１を辿って樋部５に到達した「搬送波」の位相と行程ｄ２を辿って樋部５に到達した「搬送波」の位相は逆になるので、「搬送波」は樋部５において消滅する。このように、「搬送波」を次々に消滅させることによって、津波のエネルギーを消滅させることができる。もちろん、全ての「搬送波」について（ｄ２−ｄ１）をλ／２にすることはできないので、津波のエネルギーを完全に消滅させることはできないが、（ｄ２−ｄ１）を最適化すれば、津波のエネルギーの多くの部分を減衰させることができる。
【００３５】
また、図５に示すように樋部５には、左右両隣の膨出部４から海水が流入して、衝突して飛散するから、海水が防潮堤１に対して斜めに（つまり、防潮堤１に平行な速度成分を持って）流入しても、海水が樋部５内で渦を巻いて留まって、その結果海水面が上昇することがない。
【００３６】
また、防潮堤１（膨出部４及び樋部５）の表面に図６に示すようなディンプル１０、つまり深さｄ＝１０〜２０ｍｍ、直径Ｄ＝１００〜２００ｍｍの凹みを多数形成すれば、防潮堤１の表面を流れる海水の境界層を乱して、粘性摩擦抵抗を低減できる。このため、海水をより高く放擲して、飛沫をより広範囲に拡散することができる。
【００３７】
このように、防潮堤１は、津波の伝播経路を２つに分けて、各伝播経路を経て樋部５に到達する津波に位相差を与えて、両者を干渉させて津波のエネルギーを減衰させることができる。また、防潮堤１に衝突した海水を空中高く、飛散させるので、減衰されずに残った津波のエネルギーを発散させることができる。その結果、陸上にある生命、財産を効果的に保護することができる。
【００３８】
なお、上記実施形態は、本発明の具体的な実施態様を例示するものであって、本発明の技術的範囲は上記実施形態に例示されたものには限定されない。本発明は請求の範囲に示された技術的思想の範囲において、自由に、応用、変形、あるいは改良して実施することができる。
【００３９】
例えば、図１において、防潮堤１を海岸線２から離して海３側に設置した例を示したが、防潮堤１を設置する位置はこれには限られない。防潮堤１は海岸線２上に設置されても良いし、海岸線２よりも陸６側に入った位置に設置されてもよい。
【００４０】
また、図１に示した防潮堤１は全体として弓形の平面形を有しているが、防潮堤１の平面形は弓形には限定されない。設置場所の地形等に応じて自由に設計できる。
【００４１】
また、図３において、膨出部４及び樋部５横断面の輪郭線におけるオーバーハング部の終端の接線の仰角を、それぞれ３０°及び６０°とする例を示したが、この仰角の値には、工作精度の限界等に起因する誤差が許容される。もっとも、だからと言って３０°あるは６０°と見なされる範囲が無制限に拡大される訳ではない。許容される誤差の範囲は当業者の技術常識に従う。
【００４２】
防潮堤１の素材や構造、構築方法は特に限定されない。設計上の制約等に応じて、最適な素材や構造、構築方法を選択すればよい。防潮堤１の素材はコンクリートが一般的だが、代替的な素材があれば、それを選択しても良い。また、コンクリートは現地で打設されてもよいし、プレキャストされたコンクリート塊を現地で積み上げてもよい。
【産業上の利用可能性】
【００４３】
本発明の防潮堤は、海岸に設置されて津波の被害を防ぐ防潮堤として利用可能である。
【符号の説明】
【００４４】
１  防潮堤
２  海岸線
３  海
４  膨出部
５  樋部
６  陸
７  津波
８  建物
９  海底
１０  ディンプル
【図１】
2013031001.tif 000003
【図２】
2013031001.tif 000004
【図３】
2013031001.tif 000005
【図４】
2013031001.tif 000006
【図５】
2013031001.tif 000007
【図６】
2013031001.tif 000008
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
平面形状において、海側に突出する膨出部と、前記膨出部の間に配置されて陸側に凹入する樋部を交互に配列して構成されている防潮堤において、
前記膨出部の横断面の輪郭線は、海側に凸の円弧を描いて底部から立ち上がり、前記円弧の頂点に達し、その後一旦下降し、さらに、陸側に凸の曲線を描いてオーバーハングするとともに、
前記樋部の横断面の輪郭線は、海側に凸の曲線を描いて底部から立ち上がり、徐々に陸側に倒れて、その後、陸側に凸の曲線を描いてオーバーハングする、
ことを特徴とする防潮堤。
【請求項２】
前記膨出部の横断面におけるオーバーハング部の輪郭線の終端は、前記樋部の横断面の輪郭線の横断面におけるオーバーハング部の輪郭線の終端よりも海側にあって、
前記膨出部の横断面におけるオーバーハング部の輪郭線の終端の接線の仰角は、前記樋部の横断面の輪郭線の横断面におけるオーバーハング部の輪郭線の終端の接線の仰角よりも小さい
ことを特徴とする請求項１に記載の防潮堤。
【請求項３】
前記膨出部の横断面におけるオーバーハング部の輪郭線の終端の接線の仰角は約３０°であって、前記樋部の横断面におけるオーバーハング部の輪郭線の終端の接線の仰角は約６０°である
ことを特徴とする請求項２に記載の防潮堤。
【請求項４】
表面に多数のディンプルが形成されている
ことを特徴とする請求項１に記載の防潮堤。
【請求項５】
（削除）
【手続補正書】
【提出日】平成26年2月24日(2014.2.24)
【手続補正１】
【補正対象書類名】明細書
【補正対象項目名】０００２
【補正方法】変更
【補正の内容】
【０００２】
２０１１年３月１１日に発生した東北地方太平洋沖地震による津波は、膨大な人命を奪い、財産を破壊した。かかる巨大な津波による被害を効果的に防ぐ防潮堤が、今、強く求められている。
【手続補正２】
【補正対象書類名】明細書
【補正対象項目名】０００７
【補正方法】変更
【補正の内容】
【０００７】
そこで、特許文献３には、横断面形において、海側から陸側に向かう上向きの勾配を有する斜面を備え、該斜面の勾配は陸側に向かうにしたがって、放物線を描いて大きくなり、さらには海側に向かって反転してオーバーハング部を形成した防護堤が開示されている。特許文献３によれば、このような形態を備えると、斜面に当たる海水の運動方向を徐々に上向きに変えるので、堤体が受ける衝撃を緩和することができ、斜面に当たった海水は空中で飛散して海面に戻る。つまり、海水の越堤を防ぐことができると主張している。
【国際調査報告】
2013031001.tif 000009
2013031001.tif 000010
2013031001.tif 000011
2013031001.tif 000012
2013031001.tif 000013